(57)【要約】【課題】  この発明は、チャンネルの連続切り替え（ザッピング）を容易に行うことができ、ユーザの使い勝手を改善することを目的とする。【解決手段】  第１のチャンネルを出力する手段（３４）と、複数チャンネルを連続的に切り替えて出力する手段（３５）を備え、第１のチャンネルが出力されている際に、連続チャンネル切り替え出力ＯＮが指示される場合に、複数チャンネルの連続切り替えに係る映像信号を出力するように構成している。【選択図】    図６
2007135088.tif 000002
【特許請求の範囲】
【請求項１】
複数のチャンネルに係る放送を受信可能な放送受信装置において、
受信可能な複数のチャンネルの中から第１のチャンネルを選択して映像信号を出力する選択チャンネル出力手段と、
前記受信可能な複数のチャンネルの中から所定の複数チャンネルを選択し、連続的に切り替えて映像信号として出力するチャンネル切り替え出力手段を備え、
前記第１のチャンネルに係る映像信号が出力されている際に、前記連続チャンネル切り替え出力ＯＮが指示される場合に、前記所定の複数チャンネルの連続切り替えに係る映像信号を出力することを特徴とする放送受信装置。
【請求項２】
複数のチャンネルに係る放送を受信可能な放送受信装置において、
受信可能な複数のチャンネルの中から第１のチャンネルを選択して映像信号を出力する選択チャンネル出力手段と、
前記第１のチャンネルに係る放送からコマーシャルを検出するコマーシャル検出手段と、
前記第１のチャンネルに係る放送からコマーシャルが検出された場合に、前記受信可能な複数のチャンネルの中から所定の複数チャンネルを連続的に切り替えて、映像信号として出力するチャンネル切り替え出力手段を備え、
前記第１のチャンネルに係る映像信号が出力されている際に、前記連続チャンネル切り替え出力ＯＮが指示される場合に、前記所定の複数チャンネルの連続切り替えに係る映像信号を出力することを特徴とする放送受信装置。
【請求項３】
複数のチャンネルに係る放送を受信可能な放送受信装置において、
受信可能な複数のチャンネルの中から第１のチャンネルを選択して映像信号を出力する選択チャンネル出力手段と、
前記受信可能な複数のチャンネルの中から所定の複数チャンネルを選択し、連続的に切り替えて映像信号として出力するチャンネル切り替え出力手段と、
前記放送に係るコンテンツを記録するコンテンツ記録手段を備え、
前記第１のチャンネルに係る映像信号が出力されている際に、前記連続チャンネル切り替え出力ＯＮが指示される場合に、前記所定の複数チャンネルの連続切り替えに係る映像信号を出力し、前記コンテンツ記録手段に前記第１のチャンネルに係るコンテンツを記録することを特徴とする放送受信装置。
【請求項４】
前記複数チャンネルの切り替えに係る映像信号出力が行われている際に、連続チャンネル切り替え出力ＯＦＦが指示される場合に、前記第１のチャンネルに係る映像信号を出力することを特徴とする請求項１乃至３に記載の放送受信装置。
【請求項５】
受信可能な複数のチャンネルの中から第１のチャンネルを選択して映像信号を出力するステップと、
前記受信可能な複数のチャンネルの中から所定の複数チャンネルを選択し、連続的に切り替えて映像信号として出力するステップと、
前記第１のチャンネルに係る映像信号が出力されている際に、前記連続チャンネル切り替え出力ＯＮが指示される場合に、前記所定の複数チャンネルの連続切り替えに係る映像信号を出力するステップを備えることを特徴とする放送受信方法。
【請求項６】
受信可能な複数のチャンネルの中から第１のチャンネルを選択して映像信号を出力するステップと、
前記第１のチャンネルに係る放送からコマーシャルを検出するステップと、
前記第１のチャンネルに係る放送からコマーシャルが検出された場合に、前記受信可能な複数のチャンネルの中から所定の複数チャンネルを連続的に切り替えて、映像信号として出力するステップと、
前記第１のチャンネルに係る映像信号が出力されている際に、前記連続チャンネル切り替え出力ＯＮが指示される場合に、前記所定の複数チャンネルの連続切り替えに係る映像信号を出力するステップを備えることを特徴とする放送受信方法。
【請求項７】
受信可能な複数のチャンネルの中から第１のチャンネルを選択して映像信号を出力するステップと、
前記受信可能な複数のチャンネルの中から所定の複数チャンネルを選択し、連続的に切り替えて映像信号として出力するステップと、
前記放送に係るコンテンツを記録するコンテンツ記録手段と、
前記第１のチャンネルに係る映像信号が出力されている際に、前記チャンネル連続切り替え出力ＯＮが指示される場合に、前記所定の複数チャンネルの連続切り替えに係る映像信号を出力し、前記コンテンツ記録手段に前記第１のチャンネルに係るコンテンツを記録するステップを備えることを特徴とする放送受信方法。
【請求項８】
前記複数チャンネルの切り替えに係る映像信号出力が行われている際に、チャンネル連続切り替え出力ＯＦＦが指示される場合に、前記第１のチャンネルに係る映像信号を出力するステップをさらに備えることを特徴とする請求項５乃至７に記載の放送受信方法。
【請求項９】
前記所定の複数チャンネルは、チャンネルのジャンル選択またはお勧めチャンネルであることを特徴とする請求項５乃至７に記載の放送受信方法。
【発明の詳細な説明】
【技術分野】
【０００１】
この発明は、例えばデジタルテレビジョン放送を受信する方法受信装置に関し、特に放送コンテンツ視聴中におけるチャンネル切り替えに関する。
【背景技術】
【０００２】
特許文献１には、視聴中のチャンネルがコマーシャル放送中に自動的に他のチャンネルの放送番組を表示する技術が開示されている。
【０００３】
しかしながら、チャンネルの連続切り替え（いわゆるザッピング）に対応したものではなく、実用性という点で改善が要求されていた。
【特許文献１】特開２００３−２１９３０７号公報
【発明の開示】
【発明が解決しようとする課題】
【０００４】
そこで、この発明は上記事情を考慮してなされたもので、チャンネルの連続切り替え（ザッピング）を容易に行うことができ、ユーザの使い勝手を改善することを目的としている。
【課題を解決するための手段】
【０００５】
この発明に係る放送受信装置は、受信可能な複数のチャンネルの中から第１のチャンネルを選択して映像信号を出力する選択チャンネル出力手段と、前記受信可能な複数のチャンネルの中から所定の複数チャンネルを選択し、連続的に切り替えて映像信号として出力するチャンネル切り替え出力手段を備え、前記第１のチャンネルに係る映像信号が出力されている際に、前記連続チャンネル切り替え出力ＯＮが指示される場合に、前記所定の複数チャンネルの連続切り替えに係る映像信号を出力するように構成している。
【０００６】
また、この発明に係る放送受信方法は、受信可能な複数のチャンネルの中から第１のチャンネルを選択して映像信号を出力するステップと、前記受信可能な複数のチャンネルの中から所定の複数チャンネルを選択し、連続的に切り替えて映像信号として出力するステップと、前記第１のチャンネルに係る映像信号が出力されている際に、前記連続チャンネル切り替え出力ＯＮが指示される場合に、前記所定の複数チャンネルの連続切り替えに係る映像信号を出力するステップを備えるように構成している。
【発明の効果】
【０００７】
上記のように構成することによって、チャンネルの連続切り替え（ザッピング）を容易に行うことができ、ユーザの使い勝手を改善することが可能となるという効果がある。
【発明を実施するための最良の形態】
【０００８】
以下、この発明の実施の形態について図面を参照して詳細に説明する。
【０００９】
図１は、この発明の実施の形態で説明するテレビジョン放送受信装置１１の正面側の外観を示す図である。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１０】
そして、上記キャビネット１２には、その正面に、例えば平面型液晶表示パネル等でなる映像表示器（映像表示部）１４の表示画面１４ａが露出されるとともに、一対のスピーカ１５、操作部１６、後述するリモートコントローラ（図１では図示せず）１７から送信される操作情報を受けるための受光部１８等が配置されている。
【００１１】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１２】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１３】
図２は、この発明の実施の形態で説明するテレビジョン放送受信装置１１の信号処理系を概略的に示す図である。この信号処理系を構成する各種の回路ブロックは、主として、上記キャビネット１２の内部で背面に近い位置、つまり、上記映像表示器１４の表示画面１４ａの裏側あたりに配置されている。
【００１４】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧ（moving picture experts group）２デコード処理が施された後、セレクタ２６に供給される。
【００１５】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００１６】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００１７】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００１８】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を、受光部１８を介して受けることにより、その操作内容が反映されるように各部をそれぞれ制御している。
【００１９】
ここでは、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２０】
ここで、上記制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部２６とＨＤＤユニット２０とを接続している。
【００２１】
また、制御部３５とＨＤＤユニット２０との間でデジタル映像及び音声信号を授受するライン３９は、ｉ．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にｉ．Linkによって行なわれる。
【００２２】
そして、上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００２３】
アンテナ（２２、２７）で受信された放送はチューナ部（２４、２９）で所定のチャンネルが選択される。そして、受信可能な複数のチャンネルの中から例えば、第１のチャンネルを選択して信号処理部３４から映像信号を出力する（選択チャンネル出力手段）。
【００２４】
また、制御部３５は後述する自動チャンネル変更ボタンの操作に連動して、受信可能な複数のチャンネルの中から所定の複数チャンネルを選択し、連続的に切り替えて映像信号として出力（いわゆるザッピング）する（チャンネル切り替え出力手段）。
【００２５】
そして、第１のチャンネルに係る映像信号が出力されている際に、連続チャンネル切り替え出力（ザッピング）ＯＮが指示される場合に、所定の複数チャンネルの連続切り替え（ザッピング）に係る映像信号を出力する。
【００２６】
また、制御部３５は第１のチャンネルに係る放送からコマーシャルを検出する（コマーシャル検出手段）。そして、第１のチャンネルに係る放送からコマーシャルが検出された場合に、受信可能な複数のチャンネルの中から所定の複数チャンネルを連続的に切り替えて、映像信号として出力（ザッピング）する（チャンネル切り替え出力手段）。
【００２７】
また、第１のチャンネルに係る映像信号が出力されている際に、前記連続チャンネル切り替え出力（ザッピング）ＯＮが指示される場合に、所定の複数チャンネルの連続切り替えに係る映像信号を出力する。
【００２８】
また、テレビジョン放送受信装置１１はＨＤＤユニット２０を備えており、放送に係るコンテンツを記録する（コンテンツ記録手段）。
【００２９】
そして、第１のチャンネルに係る映像信号が出力されている際に、連続チャンネル切り替え出力（ザッピング）ＯＮが指示される場合に、所定の複数チャンネルの連続切り替えに係る映像信号を出力し、コンテンツ記録手段に第１のチャンネルに係るコンテンツを記録する。
【００３０】
図６は、この発明の実施の形態で説明する放送受信装置に係る表示の一例を示す図である。
【００３１】
リモートコントローラ（リモコン）１７は自動チャンネル変更（ザッピング）のＯＮ、ＯＦＦを指示する自動チャンネル変更ボタン（ザッピングボタン）を備えている。そして、ユーザによって自動チャンネル変更ボタン（ザッピングボタン）のＯＮが操作されると、
映像表示器１４に、ＣＨ８→ＣＨ１０→ＣＨ（ＣＳ１００）→ＣＨ８というように所定の複数チャンネルの連続切り替え（ザッピング）に係る映像信号を出力し、表示する。
【００３２】
符号４００はチャンネルの連続切り替え（ザッピング）の際に、ザッピング画面に加え、ＣＨ８がＣＭを放送している場合は「ＣＨ８ＣＭ中」の表示が行われる。
【００３３】
図３は、この発明の実施の形態に係る自動チャンネル変更（ザッピング）の動作を説明するフローチャートである。
【００３４】
符号１００はここでの開始ステップである。続いて符合１０１を付したステップへ進む。
【００３５】
符号１０１は第１のチャンネルであるチャンネルＸ（ＣＨ  Ｘ）を選択受信し、映像表示器（映像表示部）１４へ映像信号を出力するステップである。続いて符合１０２を付したステップへ進む。
【００３６】
符号１０２は図６に示す自動チャンネル変更ボタン（ザッピングボタン）がユーザによって操作され、ＯＮが指示されたか否かを判断するステップである。自動チャンネル変更ボタンＯＮが指示されたと判断された場合は符合１０３を付したステップへ進む（Ｙｅｓ）。自動チャンネル変更ボタンＯＮが指示されたと判断されない場合はここでの処理が繰り返される（Ｎｏ）。
【００３７】
符号１０３は自動チャンネル変更（ザッピング）表示を開始するステップである。続いて符合１０４を付したステップへ進む。
【００３８】
符号１０４は自動チャンネル変更ボタン（ザッピングボタン）がユーザによって操作され、ＯＦＦが指示されたか否かを判断するステップである。自動チャンネル変更ボタンＯＦＦが指示されたと判断された場合は符合１０５を付したステップへ進む（Ｙｅｓ）。自動チャンネル変更ボタンＯＦＦが指示されたと判断されない場合はここでの処理が繰り返される（Ｎｏ）。
【００３９】
符号１０５は自動チャンネル変更（ザッピング）表示を終了するステップである。続いて符合１０６を付したステップへ進む。
【００４０】
符号１０６は第１のチャンネルであるチャンネルＸ（ＣＨ  Ｘ）を選択受信し、映像表示器（映像表示部）１４へ映像信号を出力するステップである。続いて符合１０７を付したステップへ進む。
【００４１】
符号１０７は終了ステップであり、ここでの処理は終了する。
【００４２】
図４は、この発明の他の実施の形態に係る自動チャンネル変更（ザッピング）の動作を説明するフローチャートである。
【００４３】
符号２００はここでの開始ステップである。続いて符合２０１を付したステップへ進む。
【００４４】
符号２０１は第１のチャンネルであるチャンネルＸ（ＣＨ  Ｘ）を選択受信し、映像表示器（映像表示部）１４へ映像信号を出力するステップである。続いて符合２０２を付したステップへ進む。
【００４５】
符号２０２は図６に示す自動チャンネル変更ボタン（ザッピングボタン）がコマーシャル（ＣＭ）と連動するように構成されており、このボタンがユーザによって操作され、ＯＮが指示されたか否かを判断するステップである。コマーシャル（ＣＭ）連動自動チャンネル変更ボタンＯＮが指示されたと判断された場合は符合２０３を付したステップへ進む（Ｙｅｓ）。コマーシャル（ＣＭ）と連動自動チャンネル変更ボタンＯＮが指示されたと判断されない場合はここでの処理が繰り返される（Ｎｏ）。
【００４６】
符号２０３はコマーシャル（ＣＭ）を検出するステップである。ＣＭ検出はステレオとモノラルの音声検出等、汎用技術の使用が可能である。続いて符合２０４を付したステップへ進む。
【００４７】
符号２０４はコマーシャル（ＣＭ）が検出されたか否かを判断するステップである。コマーシャル（ＣＭ）が検出されたと判断された場合は符合２０５を付したステップへ進む（Ｙｅｓ）。コマーシャル（ＣＭ）が検出されたと判断されない場合はここでの処理が繰り返される（Ｎｏ）。
【００４８】
符号２０５は自動チャンネル変更（ザッピング）表示を開始するステップである。続いて符合２０６を付したステップへ進む。
【００４９】
符号２０６はコマーシャル（ＣＭ）終了が検出されたか否かを判断するステップである。コマーシャル（ＣＭ）終了が検出されたと判断された場合は符合２０７を付したステップへ進む（Ｙｅｓ）。コマーシャル（ＣＭ）終了が検出されたと判断されない場合はここでの処理が繰り返される（Ｎｏ）。
【００５０】
符号２０７は自動チャンネル変更（ザッピング）表示を終了するステップである。続いて符合２０８を付したステップへ進む。
【００５１】
符号２０８は第１のチャンネルであるチャンネルＸ（ＣＨ  Ｘ）を選択受信し、映像表示器（映像表示部）１４へ映像信号を出力するステップである。続いて符合２０９を付したステップへ進む。
【００５２】
符号２０９は終了ステップであり、ここでの処理は終了する。
【００５３】
図５は、この発明の他の実施の形態に係る自動チャンネル変更（ザッピング）の動作を説明するフローチャートである。
【００５４】
符号３００はここでの開始ステップである。続いて符合３０１を付したステップへ進む。
【００５５】
符号３０１は第１のチャンネルであるチャンネルＸ（ＣＨ  Ｘ）を選択受信し、映像表示器（映像表示部）１４へ映像信号を出力するステップである。続いて符合３０２を付したステップへ進む。
【００５６】
符号３０２は図６に示す自動チャンネル変更ボタン（ザッピングボタン）がユーザによって操作され、ＯＮが指示されたか否かを判断するステップである。自動チャンネル変更ボタンＯＮが指示されたと判断された場合は符合３０３を付したステップへ進む（Ｙｅｓ）。自動チャンネル変更ボタンＯＮが指示されたと判断されない場合はここでの処理が繰り返される（Ｎｏ）。
【００５７】
符号３０３は自動チャンネル変更（ザッピング）表示を開始するステップである。続いて符合３０４を付したステップへ進む。
【００５８】
符号３０４は受信中であるチャンネルＸ（ＣＨ  Ｘ）に係るコンテンツの記録媒体（ＨＤＤ）２０への記録を開始するステップである。続いて符合３０５を付したステップへ進む。
【００５９】
符号３０５は自動チャンネル変更ボタン（ザッピングボタン）がユーザによって操作され、ＯＦＦが指示されたか否かを判断するステップである。自動チャンネル変更ボタンＯＦＦが指示されたと判断された場合は符合３０６を付したステップへ進む（Ｙｅｓ）。自動チャンネル変更ボタンＯＦＦが指示されたと判断されない場合はここでの処理が繰り返される（Ｎｏ）。
【００６０】
符号３０６は自動チャンネル変更（ザッピング）表示を終了するステップである。続いて符合３０７を付したステップへ進む。
【００６１】
符号３０７は記録媒体（ＨＤＤ）２０に記録されたチャンネルＸ（ＣＨ  Ｘ）に係るコンテンツをタイムシフト再生するステップである。続いて符合３０８を付したステップへ進む。
【００６２】
符号３０８は終了ステップであり、ここでの処理は終了する。
【００６３】
図７は、この発明の実施の形態で説明する放送受信装置に係る表示の一例を示す図である。
【００６４】
図に示すように、上記チャンネルの連続切り替えにおいて、自動的に選択される複数チャンネルは、受信可能なチャンネルを放送形態（例えばＢＳ、ＣＳ、地上Ｄ、地上A等）から順次切り替える設定や、ジャンル（スポーツ、バラエティ、音楽等）の順次切り替え設定、または、お勧め番組（ユーザの嗜好、サーバ等に蓄積された各世帯の嗜好等）の順次切り替え設定、あるいは視聴チャンネル履歴を保存し、これを用いてチャンネルを順次切り替える設定等を、ユーザが任意に選択することでザッピングに係るチャンネルを絞る動作を行い、ユーザの嗜好にもとづいたＣＨ変更を行っても良い。
【００６５】
上記のように構成することによって、この発明においては、チャンネルの連続切り替え（ザッピング）を容易に行うことができ、ユーザの使い勝手を改善することが可能となるという効果がある。また、ザッピングをＣＭに連動させて行うことができ、ユーザの使い勝手を改善することが可能となるという効果がある。また、ザッピングを行う際に放送される番組をタイムシフト再生可能にすることで、安心してザッピングすることが可能となるという効果がある。
【００６６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６７】
【図１】この発明の実施の形態で説明するテレビジョン放送受信装置の正面側外観を示す図。
【図２】この発明の実施の形態で説明するテレビジョン放送受信装置１１の信号処理系を概略的に示す図。
【図３】この発明の実施の形態に係る自動チャンネル変更（ザッピング）の動作を説明するフローチャート。
【図４】この発明の他の実施の形態に係る自動チャンネル変更（ザッピング）の動作を説明するフローチャート。
【図５】この発明の他の実施の形態に係る自動チャンネル変更（ザッピング）の動作を説明するフローチャート。
【図６】この発明の実施の形態で説明する放送受信装置に係る表示の一例を示す図。
【図７】この発明の実施の形態で説明する放送受信装置に係る表示の一例を示す図。
【符号の説明】
【００６８】
１１…テレビジョン放送受信装置、１２…キャビネット、１４…映像表示器（映像表示部）、１５…スピーカ、１６…操作部、１７…リモートコントローラ、１８…受光部、２０…ＨＤＤユニット（記録手段）、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部、３６…メモリ部、３７…ライン、３８…接続部、３９…ライン、４０…ｉ．Link接続部。
【図１】
2007135088.tif 000003
【図２】
2007135088.tif 000004
【図３】
2007135088.tif 000005
【図４】
2007135088.tif 000006
【図５】
2007135088.tif 000007
【図６】
2007135088.tif 000008
【図７】
2007135088.tif 000009